(57)【特許請求の範囲】
【請求項１】
音声メッセージを蓄積する音声蓄積装置であって、
前記音声蓄積装置は、パケット交換によるパケット通信および、回線交換による回線交換通信の２種類の通信を少なくとも行なえる無線網を介して携帯電話機と通信可能であり、
前記音声メッセージの一覧情報を前記パケット通信により前記携帯電話機へ送信する音声蓄積ゲートウェイ通信手段と、
前記音声メッセージを前記回線交換通信により前記携帯電話機へ送信する音声蓄積交換機通信手段と、
を備えることを特徴とする音声蓄積装置。
【請求項２】
音声蓄積装置の全体を制御する音声蓄積全体制御手段をさらに備え、
前記音声蓄積全体制御手段は、前記音声蓄積ゲートウェイ手段が受信した一覧表示要求に基づいて、前記音声メッセージの一覧情報を生成することを特徴とする請求項１記載の音声蓄積装置。
【請求項３】
前記音声蓄積ゲートウェイ通信手段が受信した音声メッセージの聞き取り要求に基づいて、携帯電話機の使用者により選択された音声メッセージとともに選択された音声メッセージを識別するメッセージ識別子を記憶するメッセージ選択情報記憶手段をさらに備えることを特徴とする請求項１または２記載の音声蓄積装置。
【請求項４】
前記聞き取り要求があったときに前記携帯電話機が音声メッセージの聞き取り動作を行うための情報を生成する聞き取りプログラム生成手段をさらに備え、
前記聞き取り動作を行うための情報は少なくとも、
前記聞き取り要求を発信した携帯電話機のアドレス、
前記携帯電話機が音声蓄積装置から聞き取りを行うための交換機の電話番号、
聞き取り対象である音声メッセージのメッセージ識別子、
とから構成され、
前記聞き取り動作を行うための情報は、音声蓄積ゲートウェイ通信手段により携帯電話機へ送信されることを特徴とする請求項３記載の音声蓄積装置。
【請求項５】
前記携帯電話機は、受信した前記聞き取り動作を行うための情報に格納された交換機の電話番号へ発信動作を行って回線接続を確立した後、前記聞き取り動作を行うための情報に格納されたメッセージ識別子を前記音声蓄積装置へ入力することを特徴とする請求項４記載の音声蓄積装置。
【請求項６】
前記携帯電話機からメッセージ識別子の入力があったときは、音声蓄積全体制御手段は、前記メッセージ選択情報記憶手段に記憶された識別子から該当する音声メッセージを取得することを特徴とする請求項５記載の音声蓄積装置。
【請求項７】
前記携帯電話機からのメッセージ識別子の入力は、ＰＢ信号に基づいて行うことを特徴とする請求項５または６記載の音声蓄積装置。
【請求項８】
請求項１から７記載の音声蓄積装置から音声メッセージを取得することを特徴とする携帯電話機。
【発明の詳細な説明】
【０００１】
【発明の属する技術分野】
本発明は、携帯電話機と内線電話機の回線交換、及び携帯電話機と音声蓄積装置との接続を行なう交換システムに関するものである。
【０００２】
【従来の技術】
近年、無線通信技術の進歩に伴い、従来の回線交換型の通信のみならず、パケットによる通信を行なうことも可能となっている。これは、例えば社団法人電波産業会のＲＣＲ  ＳＴＤ−２７（デジタル方式自動車電話システム標準規格）において規定されている。こうした無線通信技術の進歩により、私設網内の情報機器と、携帯電話機などに代表される携帯通信機器との間で、データの送受信を行なうことが可能となっている。
【０００３】
一方、私設網内の通信機器と、公衆網における通信機器との間の音声通信を行なうために、ダイヤルインダイヤルサービス、ダイヤルインサービス、あるいは、特開平７−３０７７９９号公報などに開示された技術思想がある。こうした技術を用いて、携帯電話機から私設網の構内交換機に接続された内線電話機に対して回線接続を行なうことも可能となっている。
【０００４】
【発明が解決しようとする課題】
しかしながら、従来の技術では、携帯電話機から構内交換機に接続された内線電話機に対して回線接続を行なうことはできるが、ダイヤルインダイヤルサービスを使用した場合、回線接続を行なった後にユーザがキーを押下しなければならず、ダイヤルインサービスを使用した場合には、番号の使用料が発生し、特開平７−３０７７９９号公報に開示された技術思想を用いた場合には、無線網あるいは公衆網側の改造を必要とするという課題を有していた。
【０００５】
本発明は、上記課題に鑑み、無線網あるいは公衆網側の改造を必要とせずに、入力する電話番号としては内線番号のみで、携帯電話機から構内交換機に接続された内線電話機に対して回線接続を行なうことができる目的の交換システムを提供するものである。また、本発明では、同時に携帯電話機から構内交換機に接続された音声蓄積装置に対する操作性の向上も合わせて目的とする交換システムを提供するものである。
【０００６】
【課題を解決するための手段】
この課題を解決するために本発明は、第１に、パケット交換による通信をパケット通信および、回線交換による通信を回線交換通信の２種類の通信を少なくとも行なえる無線網と、内線電話機に発信を行なう要求である内線発信要求の出力、及び内線発信要求の応答である内線発信プログラムの入力をパケット通信で行ない、入力された前記内線発信プログラムに基づいて前記回線交換通信を行なう携帯電話機と、携帯電話機とパケット通信を行うゲートウェイと、携帯電話機からゲートウェイを介して入力される内線発信要求から、内線発信プログラムを生成して前記ゲートウェイを介して携帯電話機に出力し、携帯電話機からの回線交換通信による着信によって、内線発信要求に格納されていた情報に基づき内線電話機と携帯電話機の回線接続処理を行なう交換機とを交換システムに備えたものである。
【０００７】
これにより、無線網を改造することなく、かつ交換機の電話番号も入力せずに、携帯電話機において内線番号のみを入力すれば、携帯電話機から指定された内線電話機に対して着信を発生させることができるという作用を有する。
【０００８】
第２に、交換機と接続される第２の交換機と、第２の交換機に接続される第２の内線電話機と、内線電話機から第２の内線電話機へ発信を行なう際に使用する電話番号と同じ電話番号が内線発信要求で指定されたときに、携帯電話機からの着信先を第２の交換機とする処理を行なう交換機とを備えたものである。
【０００９】
これにより、第２の交換機に接続された第２の内線電話機に対して着信を行なうことができるという作用を有する。
【００１０】
第３に、携帯電話機とは異なる携帯電話機を第２の携帯電話機とし、内線電話機の転送先として第２の携帯電話機の電話番号を記憶する転送先記憶手段と、転送先記憶手段から第２の携帯電話機の電話番号を取得して内線発信プログラムに格納するプログラム生成手段とを備える交換機と、内線発信プログラムに格納された第２の携帯電話機の電話番号を用いて発信処理を行なう携帯電話機と、携帯電話機と第２の携帯電話機との回線接続処理を行なう無線網とを備えたものである。
【００１１】
これにより、内線電話機の転送先として第２の携帯電話機が指定されている場合、携帯電話機において内線電話機に対して内線番号による発信処理を行なった場合、内線発信プログラムに第２の携帯電話機の電話番号が格納されているため、交換機を介さずに、携帯電話機から無線網のみを介して第２の携帯電話機と回線接続処理が行なわれるという作用を有する。
【００１２】
第４に、携帯電話機から着信があった時に着信先を問い合わせる要求である着信先要求を出力し、着信先要求の応答である着信先応答に格納されている内線電話機の電話番号に基づき、携帯電話機と内線電話機との回線接続処理を行なう交換機と、ゲートウェイに接続され、携帯電話機からの内線発信要求を受信して内線発信プログラムを生成して出力し、交換機から着信先要求を受信した時には、内線発信要求に格納されている内線電話機の電話番号が格納された着信先応答を生成して交換機に出力する交換機制御装置とを備えたものである。
【００１３】
これにより、着信先要求を出力することができる交換機であれば、改造を行なわなくても、携帯電話機において内線番号を指定すれば内線電話機に接続することができるサービスを提供することができるとともに、サービスの内容を変更する場合に交換機の改造を必要としないという作用を有する。
【００１４】
第５に、交換機と接続され、携帯電話機に対して、パケット通信を用いてメッセージの一覧情報を送信し、回線交換通信を用いてメッセージの内容を送信する音声蓄積装置又は電子メール蓄積装置が、メッセージを記憶する音声メッセージ記憶手段と、携帯電話機において選択された１個もしくは複数のメッセージを識別するためのメッセージ識別子を含んだ聞き取りプログラムを生成する聞き取りプログラム生成手段と、メッセージ識別子及び携帯電話機においてどのメッセージが聞き取り対象として選択されたという情報とを記憶するメッセージ選択情報記憶手段と、携帯電話機が、聞き取りプログラムに格納されたメッセージ識別子を制御指示信号を用いて送信する制御指示信号送信手段と、制御指示信号送信手段によって入力されたメッセージ識別子に基づき、携帯電話機においてどのメッセージが聞き取り対象として選択されたかを判断して音声メッセージ記憶手段に記憶されているメッセージの再生動作を行なう音声蓄積全体制御手段とを備えたものである。
【００１５】
これにより、携帯電話機の画面に表示されたメッセージを選択すれば、メッセージの聞き取りを行なうための電話番号の入力、音声蓄積装置又は電子メール蓄積装置に回線接続した後のメッセージ選択のためのキー操作などを必要とせずに、メッセージの聞き取りを行なうことができるという作用を有する。
【００１６】
第６に、交換機に、内線発信要求に格納されている携帯電話機の電話番号を用いて携帯電話機に発信動作を行ない、携帯電話機が応答すると、内線発信要求に格納されている内線電話機の電話番号を用いて内線電話機に発信動作を行なうことにより、携帯電話機と内線電話機との回線接続処理を行なうコールバック制御手段を備えたものである。
【００１７】
これにより、携帯電話機から内線電話機に対して回線接続を行なう際、交換機から携帯電話機に対して発信するため、通信費の課金対象を交換機とすることができ、携帯電話機側の回線交換通信による通信費が発生しないという作用を有する。
【００１８】
【発明の実施の形態】
以下、本発明の実施の形態について、図１から図２５を用いて説明する。
【００１９】
（実施の形態１）
以下、図１から図８を用いて実施の形態１について説明する。
【００２０】
図１を用いて本実施の形態１の構成について説明する。図１は、本実施の形態１における本発明の構成の一例を表したブロック図である。
【００２１】
図１において、１０１は、携帯電話機である。携帯電話機１０１は、その転送モードとして、回線交換及びパケット交換の双方を行なうことができる。以下、転送モードが回線交換の場合の通信を回線交換通信、転送モードがパケット交換の場合の通信をパケット通信を呼ぶ。１０２は、携帯電話機１０１と無線通信を行なう基地局である。１０３は、携帯電話機１０１とパケット通信を行なうゲートウェイである。１０４は、携帯電話機１０１と回線交換通信を行なう交換機である。１０５は、交換機１０４に接続された内線電話機である。
【００２２】
１０６は、ゲートウェイ１０３及び交換機１０４と、携帯電話機１０１との間の通信を行なう無線網である。無線網１０６は、回線交換通信とパケット交換通信の双方を行なうことができる。本実施の形態では、無線網１０６によって、携帯電話機１０１とゲートウェイ１０３との間ではパケット通信、携帯電話機１０１と交換機１０４との間では回線交換通信を行なうものとする。１０７は、携帯電話機１０１と基地局１０２との無線通信路である。１０８は、基地局１０２と無線網１０６との通信路である。１０９は、無線網１０６とゲートウェイ１０３との通信路である。１１０は、無線網１０６と交換機１０４との通信路である。通信路１０９及び１１０は、例えば専用線、ＩＳＤＮ、アナログ回線などで構成される。１１１は、ゲートウェイ１０３と交換機１０４との通信路である。通信路１１１は、例えばイーサネット、ＲＳ２３２Ｃなどで構成される。１１２は、交換機１０４と内線電話機１０５との通信路である。
【００２３】
次に、図２を用いて携帯電話機１０１の詳しい構成について説明する。図２は、携帯電話機１０１の構成の一例を表したブロック図である。
【００２４】
図２において、２０１は、基地局１０２と無線通信を行なう無線通信手段である。２０２は、無線通信においてパケット通信を行なうための制御を行なうパケット通信制御手段である。２０３は、無線通信において回線交換通信を行なうための制御を行なう回線交換通信制御手段である。２０４は、携帯電話機１０１から内線番号による発信制御を行なう内線発信制御手段である。２０５は、内線番号による発信制御を行なう際に、パケット通信によって、携帯電話機１０１が受信するプログラムを記憶するプログラム記憶手段である。２０６は、携帯電話機１０１のユーザインタフェース手段である。ユーザインタフェース手段２０６は、例えば画面、キー、マイク、スピーカ、ボタンなどから構成される。２０７は、携帯電話機１０１全体を制御する携帯電話機全体制御手段である。２０８は、内線発信の要求を生成する内線発信要求生成手段である。
【００２５】
また、図３を用いてゲートウェイ１０３の詳しい構成について説明する。図３は、ゲートウェイ１０３の構成の一例を表したブロック図である。
【００２６】
図３において、３０１は、携帯電話機１０１がパケット通信を行なう時に、通信路１０９を介して無線網１０６と通信を行なうパケット網通信手段である。３０２は、交換機１０４との通信を行なう交換機通信手段である。３０３は、ゲートウェイ１０３全体を制御するゲートウェイ全体制御手段である。
【００２７】
さらに、図４を用いて交換機１０４の詳しい構成について説明する。図４は、交換機１０４の構成の一例を表したブロック図である。
【００２８】
図４において、４０１は、携帯電話機１０１が回線交換通信を行なう時に、通信路１１０を介して無線網１０６と通信を行なう回線交換網通信手段である。４０２は、ゲートウェイ１０３と通信を行なうゲートウェイ通信手段である。４０３は、内線電話機１０５と通信を行なう内線電話機通信手段である。４０４は、携帯電話機１０１にゲートウェイ１０３を介して送信するプログラムを生成するプログラム生成手段である。４０５は、携帯電話機１０１からゲートウェイ１０３から入力される情報を記憶する内線発信情報記憶手段である。４０６は、交換機１０４全体を制御する交換機全体制御手段である。
【００２９】
以下、図５から図８を用いて、実施の形態１における本交換システムの動作について説明する。図５は、本実施の形態１における本交換システムの信号図である。なお、説明を容易にするために、図５に示すように、無線網１０６をパケット通信を行なうための網と、回線交換通信を行なうための網に分離して、以下、パケット通信を行なうための網をパケット網、回線交換通信を行なうための網を回線交換網と呼ぶ。さらにパケット網は１０６ａ、回線交換網は１０６ｂと記述する。
【００３０】
本実施の形態では、携帯電話機１０１と内線電話機１０５との音声通話を実現するために、携帯電話機１０１の使用者が、内線番号による発信動作を所望していること、及び内線電話機１０５の内線番号を、携帯電話機のユーザインタフェース手段２０６を操作して、携帯電話機１０１に入力する。この際の、使用者の操作は、例えばある特定の電話番号を入力した後、内線電話機１０５の内線番号を入力する、もしくはユーザインタフェース手段２０６として内線発信キー（図示しない）を備え、内線発信キーを押下した後、内線電話機１０５の内線番号を入力する、さらには携帯電話機１０１で保持している電話帳から指定するなど種々の実現方法があるが、内線番号による発信であることと、その内線番号もしくは内線番号を特定できる情報が、ユーザインタフェース手段２０６から入力されれば、いずれの方法でも本発明の効果を得ることはできる。
【００３１】
ユーザインタフェース手段２０６から上記の入力が行なわれると、携帯電話機１０１は、図５の５０１に示すようにパケット網１０６ａに対して、パケット通信を行なうことを通知したのち、内線番号による発信要求を送信する。以下、この要求を内線発信要求と呼ぶ。以下、この時の携帯電話機１０１の動作について詳しく説明する。携帯電話機１０１では、ユーザインタフェース手段２０６における使用者の操作を携帯電話機全体制御手段２０７で管理している。
【００３２】
この時、使用者が内線発信の所望及びその内線番号を入力すると、携帯電話機全体制御手段２０７では、その入力された情報を内線発信制御手段２０４に出力する。内線発信制御手段２０４では、内線発信要求生成手段２０８において生成された内線発信要求を、携帯電話機全体制御手段２０７に出力する。さらに、携帯電話機全体制御手段２０７からパケット通信制御手段２０２、及び無線通信手段２０１を介して携帯電話機１０１から、無線通信によって内線発信要求は送信されることとなる。この内線発信要求の一例を図６に示す。図６において、フィールド６０１には、交換機１０４のアドレスが格納される。フィールド６０２には、携帯電話機１０１のアドレスが格納される。フィールド６０３には、携帯電話機１０１からの要求が内線発信要求であることを示す内線発信要求識別子が格納される。フィールド６０４には内線電話機１０５の内線番号が格納される。フィールド６０５は、携帯電話機１０１の電話番号が格納される。なお、フィールド６０１及び６０２に格納されるアドレスは、パケット網１０６ａを介して、携帯電話機１０１とゲートウェイ１０３との通信を行なえるようにするためのものであり、例えばＩＰアドレスなどが例として上げられる。この内線発信要求に対応した、フィールド６０１に格納すべき交換機１０４のアドレスは、内線発信制御手段２０４において管理している。
【００３３】
パケット網１０６ａでは、５０２に示すように、携帯電話機１０１から送信された内線発信要求を、ゲートウェイ１０３に送信する。これは、パケット網１０６ａにおいて、図６におけるフィールド６０１のアドレスから、携帯電話機１０１から受信した内線発信要求をゲートウェイ１０３に出力する判断を行なうことによって実現される。
【００３４】
ゲートウェイ１０３では、５０３に示すよう、パケット網１０６ａから入力された内線発信要求を、交換機１０４に出力する。以下、この時の、ゲートウェイ１０３の動作を詳しく説明する。ゲートウェイ１０３では、パケット網通信手段３０１において、パケット網１０６ａから、内線発信要求を入力すると、それをゲートウェイ全体制御手段３０３に出力する。ゲートウェイ全体制御手段３０３では、図６におけるフィールド６０１のアドレスから、入力された内線発信要求を交換機１０４に出力する判断を行ない、交換機通信手段３０２を介して、交換機１０４に出力する。
【００３５】
交換機１０４では、ゲートウェイ１０３から内線発信要求を入力すると、５０４に示すように、携帯電話機１０１に対して内線発信を行なうためのプログラムを出力する。以下、このプログラムを内線発信プログラムと呼ぶ。この、内線発信プログラムを出力するまでの交換機１０４の動作について、以下、詳しく説明する。交換機１０４では、ゲートウェイ通信手段４０２において、ゲートウェイ１０３から内線発信要求を入力すると、それを交換機全体制御手段４０６に出力する。交換機全体制御手段４０６では、入力された内線発信要求をプログラム生成手段４０４に出力し、プログラム生成手段４０４において内線発信プログラムが生成される。この内線発信プログラムの一例を図７に示す。図７において、フィールド７０１には、携帯電話機１０１のアドレスが格納される。このフィールド７０１に格納されるアドレスは、図６におけるフィールド６０２に格納されていた携帯電話機１０１のアドレスとなる。フィールド７０２には、携帯電話機１０１への応答が内線発信プログラムであることを示す内線発信プログラム識別子が格納される。フィールド７０３には、内線電話機１０５へ接続するために、携帯電話機１０１が発信する電話番号が格納される。
【００３６】
以下、このフィールド７０３に格納される電話番号を受付外線番号と呼ぶ。フィールド７０４には、その他の付加情報が格納される。付加情報とは例えば、携帯電話機１０１の画面に対して、内線電話機１０５との接続を行なう旨の表示をする、などの例が上げられる。なお、この受付外線番号として指定できる外線番号は１個だけではなく、交換機１０４に対して回線接続が行なわれるような電話番号であれば複数の番号を使用してもよく、この際、携帯電話機によって使用する受付外線番号を変え、各受付外線番号ごとの着信の履歴を取ることにより、例えば課金を行なうための情報とするような使用方法が存在する。
【００３７】
プログラム生成手段４０４では、内線発信プログラムを生成すると、次に、内線発信情報記憶手段４０５に、携帯電話機１０１と内線電話機１０５との接続を行なうために必要な情報を記憶させる。この内線発信情報記憶手段４０５において記憶させる情報の一例を図８に示す。図８において、フィールド８０１には、受付外線番号が格納される。フィールド８０２には、携帯電話機１０１の電話番号が格納される。フィールド８０３には、内線電話機１０５の内線番号が格納される。フィールド８０４には、内線発信要求を受け付けた時刻である要求受付時刻が格納される。内線発信情報記憶手段４０５では、内線発信要求毎に、図８に示した情報を持つこととなる。
【００３８】
以上の内線発信情報記憶手段４０５における記憶処理が終了すると、プログラム生成手段４０４から交換機全体制御手段４０６、ゲートウェイ通信手段４０２を介して、図７に示したような内線発信プログラムが、図５の５０４に示したようにゲートウェイ１０３に出力されることとなる。
【００３９】
ゲートウェイ１０３では、５０５に示すよう、交換機１０４から入力された内線発信プログラムを、パケット網１０６ａに出力する。これは、ゲートウェイ１０３において、交換機通信手段３０２を介してゲートウェイ全体制御手段３０３に入力された内線発信プログラムの、図７におけるフィールド７０１に格納された携帯電話機１０１のアドレスから判断して、パケット網通信手段３０１に出力することにより実現される。
【００４０】
パケット網１０６ａでは、５０６に示すように、ゲートウェイ１０３から送信された内線発信プログラムをを、基地局１０２を介して携帯電話機１０１に送信する。これは、パケット網１０６ａにおいて、図７におけるフィールド７０１のアドレスから、ゲートウェイ１０３受信した内線発信プログラムを携帯電話機１０１に送信する判断を行なうことによって実現される。
【００４１】
携帯電話機１０１では、内線発信プログラムを受信すると、内線発信プログラムの図７に示すフィールド７０３に格納された受付外線番号を用いて、５０７に示すように回線交換網に対して発信動作を行なう。以下、この時の携帯電話機１０１の動作を詳しく説明する。無線通信手段２０１、パケット通信制御手段２０２を介して、携帯電話機全体制御手段２０７に入力された内線発信プログラムは、内線発信制御手段２０４に出力される。内線発信制御手段２０４では、入力された内線発信プログラムをプログラム記憶手段２０５に記憶し、その記憶されたプログラムに基づいて、処理を開始する。本実施の形態では、内線発信プログラムを、フィールド７０３に格納された受付外線番号への回線交換通信を開始することを示している例を用いている。このため、内線発信制御手段２０４は、携帯電話機全体制御手段２０７に対して、受付外線番号への発信を要求し、その要求に基づき、回線交換通信制御手段２０３、無線通信手段２０１を介して、回線交換網１０６ｂに対して、受付外線番号による発信動作を行なうこととなる。
【００４２】
回線交換網１０６ｂでは、携帯電話機１０１からの受付外線番号による発信に基づいて、５０８に示すように、交換機１０４に対して、接続要求を出力するとともに、発信者の電話番号を通知する。この際、発信者の電話番号は携帯電話機１０１の電話番号となる。
【００４３】
交換機１０４では、回線交換網１０６ｂからの接続要求を入力すると、５０９に示すように、内線電話機１０５へ着信通知を出力する。この時の交換機１０４の動作について、以下詳しく説明する。交換機１０４では、回線交換網１０６ｂからの接続要求を回線交換網通信手段４０１において入力すると、通知される携帯電話機１０１の電話番号とともに、接続要求を交換機全体制御手段４０６に出力する。交換機全体制御手段４０６では、内線発信情報記憶手段４０５に携帯電話機１０１の電話番号が記憶されているかどうかを検索する。つまり、図８のフィールド８０１の値が、回線交換網１０６ｂから入力された発信者の電話番号と同じ値をもつものを検索し、同じ値を持っている場合、そのフィールド８０３の値に格納されていた、内線番号を交換機全体制御手段４０６は取得することができる。これにより、交換機全体制御手段４０６は、内線電話機通信手段４０３を介して、内線電話機１０５を着信状態にすることができる。
【００４４】
その後、内線電話機１０５が着信に応答すると、交換機全体制御手段４０６が、回線交換網通信手段４０１と内線電話機通信手段４０３を制御して、携帯電話機１０１と内線電話機１０５との回線接続を行なう。これにより、携帯電話機１０１と内線電話機１０５との間で、音声通話が実現される。
【００４５】
以下、具体的な例をあげて、本実施の形態における本発明の動作について説明する。以下に示す内容に基づき説明する。なお、以下の電話番号における”−”という記号は、説明をわかりやすくするために表記しており、実際に携帯電話機の使用者が入力を行なうものではない。
・携帯電話機１０１の電話番号：０１０−１１１−２２２２
・内線電話機１０５の内線番号：１０００
・受付外線番号：０３−５０００−１０００
・携帯電話機１０１における内線発信：内線キー押下
携帯電話機１０１の使用者は、始めに内線キーを押下した後、内線番号”１０００”を入力する。これにより、携帯電話機１０１からパケット網１０６ａ、ゲートウェイ１０３を介して、交換機１０４に、内線電話機１０５の内線番号”１０００”、携帯電話機１０１の電話番号”０１０−１１１−２２２２”が通知されることとなる。交換機１０４では、これらの情報を記憶し、携帯電話機１０１に対して、受付外線番号”０３−５０００−１０００”に発信する内線発信プログラムを出力する。
【００４６】
携帯電話機１０１では、内線発信プログラムに基づき、受付外線番号”０３−５０００−１０００”に発信する。これにより、回線交換網１０６ｂから交換機１０４に接続要求が発生するが、この際、回線交換網１０６ｂから交換機１０４に携帯電話機１０１の電話番号”０１０−１１１−２２２２”が出力される。これにより、交換機１０４では、記憶していた携帯電話機１０１の電話番号”０１０−１１１−２２２２”に対応する内線電話機１０５の内線番号”１０００”を取得することができるため、受付外線番号”０３−５０００−１０００”への着信先を内線電話機１０５に指定することができ、この結果、携帯電話機１０１と内線電話機１０５との間の回線接続処理を行なうことができるのである。
【００４７】
なお、上記の本実施の形態の説明では、図８におけるフィールド８０４の要求受付時刻について、説明を行なわなかったが、これは、交換機１０４の内線発信記憶手段４０５に記憶している情報の有効期間を示すものとなる。つまり、例えば携帯電話機１０１の使用者が何らかの理由で内線発信をとりやめた場合など、携帯電話機１０１から外線受付番号への接続が発生しなかった場合に、一定時間の後に、内線発信記憶手段４０５に記憶している情報を削除することができるのである。このためフィールド８０４に格納する値は、要求受付時刻ではなく、記憶している情報の有効時間などでも同様の効果を得られることは、容易に類推できる。
【００４８】
以上、本実施の形態１に示したように、本交換システムは、パケット交換による通信であるパケット通信、及び回線交換による通信である回線交換通信との２種類の通信を行なえる無線網と、ゲートウェイと、内線電話機と、内線電話機に発信を行なう要求である内線発信要求の出力、及び内線発信要求の応答である内線発信プログラムの入力をパケット通信で行ない、入力された内線発信プログラムに基づいて回線交換通信を行なう携帯電話機と、携帯電話機からゲートウェイを介して入力される内線発信要求から、内線発信プログラムを生成してゲートウェイを介して携帯電話機に出力し、携帯電話機から回線交換通信による接続要求によって、内線発信要求に格納されていた情報に基づき内線電話機と携帯電話機の回線接続処理を行なう交換機とを設けたものである。
【００４９】
これにより、本発明では、以下の４つの効果を得ることができる。
１つめは、携帯電話機において内線番号を入力することによって、特定の内線電話機との通話を行なうことができることである。一般に複数の内線電話機に対して、１つの外線番号が割り当てられることが多いため、外線番号を入力するだけでは、ある特定の内線電話機に対して直接発信を行なうことはできない。しかしながら、本発明では、複数の内線電話機に対して、１つの外線番号が割り当てられているシステムでも、直接ある特定の内線電話機に対して発信を行なうことができる。
【００５０】
２つめは、内線電話機との通話を実現するために、無線網の改造を必要としないことである。本発明では、パケット通信によって、内線電話機の電話番号と携帯電話機の電話番号を交換機に通知して、交換機で記憶することにより、携帯電話機からの回線接続の際に、通知される発信者番号から該当する内線番号を持つ内線電話機に接続しており、無線網側の改造は行なわれていない。
【００５１】
３つめは、交換機に割り当てられた回線交換通信の電話番号は、交換機から携帯電話機に通知されるため、携帯電話機の使用者が、交換機に割り当てられた回線交換通信のための電話番号を知らなくても、該当する内線電話機が接続されている交換機と通信を行なうことができることである。
【００５２】
４つめは、交換機に割り当てられた回線交換通信のための電話番号を含んだ内線発信プログラムを交換機から携帯電話機に出力し、携帯電話機がその内線発信プログラムに従って、回線交換通信のための電話番号への発信動作を行なうため、携帯電話機の使用者が交換機に割り当てられた電話番号を入力する必要がなく、ユーザインタフェースが向上されることである。
【００５３】
なお、本実施の形態における無線網とは、自営網、公衆網いずれでも同様の効果を得られることは容易に類推できる。また、無線網におけるパケット交換通信は、パケット交換のための独立した無線網だけでなく、回線交換通信の制御チャネルや、ユーザ−ユーザ間のための通信チャネルを使用しても、同様の効果を得ることができることは、容易に類推できる。
【００５４】
また、本実施の形態では、内線電話機１０５が使用中の場合の動作について説明を行なわなかったが、内線発信プログラムによって、携帯電話機１０１に対して内線電話機１０５が使用中であることを通知することは容易に実現することができる。また、この際に、図７のフィールド７０４に示した付加情報フィールドに、携帯電話機１０１の使用者がとり得る手段を表示する、例えば、内線電話機１０５が未使用になったときに携帯電話機に通知する、あるいは、内線電話機１０５側から携帯電話機１０１に発信するなどといった手段を選択できるようなプログラムを格納することも容易に実現することができる。
【００５５】
また、本実施の形態では、安全性を高めるために、交換機で、携帯電話機の電話番号から、その携帯電話機に対して内線発信プログラムを送るかどうかの判断を行なうことができることは、容易に類推できる。
【００５６】
また、本実施の形態では、交換機に割り当てられた回線交換通信のための電話番号を、内線発信を行なうためだけの電話番号とすることにより、直接その電話番号に発信しても、交換機では回線交換動作を行なわず、安全性を高めることができることも容易に類推できる。
【００５７】
また、本実施の形態１では、携帯電話機からの内線発信要求を受信したときに、受付外線番号を決定しているため、携帯電話機が複数の回線交換通信を行なえるようにした場合でも、同じ携帯電話機から２つ以上の要求があった場合には、異なる受付外線番号を格納した内線発信プログラムを生成して携帯電話機に送信することにより、同一の携帯電話機から複数の回線交換通信による着信があっても、その受付外線番号によって識別することができることは容易に類推できる。
【００５８】
さらに、本実施の形態１では、携帯電話機からの回線交換通信時に、携帯電話機の発信者番号により、携帯電話機と内線発信要求との対応関係を取得したが、これは、交換機が内線発信要求を入力した時に、その内線発信要求に対応する要求識別子を生成して内線発信プログラムに格納して携帯電話機に送信し、携帯電話機が回線交換通信を行なう際に、要求識別子をサブアドレス番号、ユーザユーザ情報、ＰＢ信号などの方法を用いて交換機に通知することによっても、携帯電話機と内線発信要求との対応関係を取ることができることは容易に類推できる。
【００５９】
さらに、本実施の携帯１では、携帯電話機が内線発信プログラムによって、交換機に回線交換通信を行なったが、これは交換機が内線発信要求を入力した時に、交換機から携帯電話機に対して発信動作を行ない、その後内線電話機に着信動作を行なうことによる回線接続処理でも、内線番号を指定することにより、内線電話機に接続することができるという本発明の効果を得ることができることは容易に類推できる。
【００６０】
（実施の形態２）
以下、図９及び図１０を用いて実施の形態２について説明する。
【００６１】
実施の形態２と実施の形態１との相違点は、交換機１０４と専用線で接続された第２の交換機に接続された第２の内線電話機と、携帯電話機１０１が回線接続を行なえることである。
【００６２】
以下、図９を用いて実施の形態２の構成について説明する。図９は、本実施の形態２における本発明の構成の一例を表したブロック図である。
【００６３】
図９において、９０１から９１２までは、実施の形態１における図１の１０１から１１２までと同じため、説明を省略する。
【００６４】
９１３は、交換機９０４と専用線によって接続された第２の交換機である。９１４は、第２の交換機９１３に接続された第２の内線電話機である。９１５は、交換機９０４と第２の交換機９１３とを接続する専用線である。９１６は、第２の交換機９１３と第２の内線電話機９１４との通信路である。
【００６５】
次に、図１０を用いて実施の形態２における交換機９０４の詳しい構成について説明する。図１０は、交換機９０４の構成の一例を表したブロック図である。
【００６６】
図１０において、１００１から１００６は、実施の形態１における図４の４０１から４０６と同じため説明を省略する。１００７は、第２の交換機９１３と専用線による通信を行なうための専用線通信手段である。
【００６７】
以下、実施の形態２における本交換システムの動作について説明する。
実施の形態２における交換機９０４は、第２の交換機９１３と専用線によって通信を行なうことができる。このため、携帯電話機９０１から第２の交換機９１３に接続された第２の内線電話機９１４の内線番号が指定された場合、携帯電話機９０１から回線交換通信が発生した時に、実施の形態１のように、内線電話機９０６に接続するのではなく、専用線通信手段１００７及び、専用線９１５を介して、第２の交換機９１３と接続する。また、第２の交換機９１３では、専用線９１５を介して、入力された接続要求に基づいて、第２の内線電話機９１４との接続動作を行なうため、この結果、携帯電話機９０１と第２の内線電話機９１４との回線接続が行なえるのである。
【００６８】
以下、具体的な例をあげて、本実施の形態における本発明の動作について説明する。以下に示す内容に基づき説明する。
・携帯電話機９０１の電話番号：０１０−１１１−２２２２
・内線電話機９０５の内線番号：８−５６−７８９
・受付外線番号：０３−５０００−１０００
・携帯電話機９０１における内線発信：内線キー押下
携帯電話機９０１の使用者は、始めに内線キーを押下した後、内線番号”８−５６−７８９”を入力する。これにより、携帯電話機９０１からパケット網９０６ａ、ゲートウェイ９０３を介して、交換機９０４に、内線電話機９０５の内線番号”８−５６−７８９”、携帯電話機９０１の電話番号”０１０−１１１−２２２２”が通知されることとなる。交換機９０４では、これらの情報を記憶し、携帯電話機９０１に対して、受付外線番号”０３−５０００−１０００”に発信する内線発信プログラムを出力する。
【００６９】
携帯電話機９０１では、内線発信プログラムに基づき、受付外線番号”０３−５０００−１０００”に発信する。これにより、回線交換網９０６ｂから交換機９０４に接続要求が発生するが、この際、回線交換網９０６ｂから交換機９０４に携帯電話機９０１の電話番号”０１０−１１１−２２２２”が出力される。これにより、交換機９０４では、記憶していた携帯電話機９０１の電話番号”０１０−１１１−２２２２”に対応する内線番号”８−５６−７８９”を取得することができる。この際、”８”が専用線による接続、”５６”が第２の交換機９１３への接続となるよう、番号を設定しておくことにより、携帯電話機９０１への着信先を第２の交換機９１３に接続された第２の内線電話機９１４にすることができる。
【００７０】
なお、第２の交換機９１３の動作については、内線電話機９０６から第２の内線電話機９１４に対して発信を行なう際に、内線電話機９０６から内線番号”８−５６−７８９”を入力した時と同様の動作となるため、説明を省略した。
【００７１】
以上、本実施の形態２に示したように、本交換システムは、第２の交換機と、第２の交換機に接続された第２の内線電話機と、第２の交換機と専用線によって、通信を行なう交換機とを設けたものである。
【００７２】
これにより、本発明では、以下の２つの効果を得ることができる。
１つめは、交換機とは異なる第２の交換機に接続された第２の内線電話機に対しても、携帯電話機において内線番号を指定することにより、回線接続を行なうことができることである。
【００７３】
２つめは、携帯電話機と第２の内線電話機が回線接続を行なう際に、無線網が公衆網の場合、公専接続になり、通話料を軽減することができることである。
【００７４】
なお、本実施の形態２において、無線網９０６と第２の交換機９１３との間で、回線交換通信を行なえるようにし、交換機９０４から携帯電話機９０１に対して通知する受付外線番号を、第２の交換機９１３の回線接続を行なうための番号とすることも、容易に実現することができる。さらに、携帯電話機９０１の位置に関する情報を交換機９０４に通知することにより、その位置情報に基づいた回線交換を行なうための通信料を判断して、携帯電話機９０１が回線接続する交換機を、交換機９０４とするか第２の交換機９１３とするかを、交換機９０４が決定することができることも容易に類推できる。
【００７５】
（実施の形態３）
以下、図１１から図１３を用いて実施の形態３について説明する。
【００７６】
実施の形態３と実施の形態１との相違点は、無線網に接続して通信を行なうことができる携帯電話機が２台存在することである。
【００７７】
以下、図１１を用いて実施の形態３の構成について説明する。図１１は、本実施の形態３における本発明の構成の一例を表したブロック図である。
【００７８】
図１１において、１１０１から１１１２までは、実施の形態１における図１の１０１から１１２までと同じため、説明を省略する。
【００７９】
１１１３は、無線網１１０６と通信を行なうことができる第２の携帯電話機である。１１１４は、第２の携帯電話機１１１３と基地局１１０２との無線通信路である。なお、第２の携帯電話機１１１３が利用する基地局は、携帯電話機１１０１が使用する基地局と異なるものであっても本発明の効果が得られるが、説明を容易にするために、実施の形態３では同一の基地局１１０２を使用するものとする。
【００８０】
次に、図１２を用いて実施の形態３における交換機１１０４の詳しい構成について説明する。図１２は、交換機１１０４の構成の一例を表したブロック図である。
【００８１】
図１２において、１２０１から１２０６は、実施の形態１における図４の４０１から４０６と同じため説明を省略する。１２０７は、内線電話機１１０５が、不在転送設定などにより、内線電話機１１０５への着信の転送先を記憶する転送先記憶手段である。
【００８２】
以下、実施の形態３における本交換システムの動作について説明する。
始めに、実施の形態３における本発明の動作の説明を容易にするために、実施の形態３における本発明のシステムが保有する機能について簡単に説明する。    実施の形態３において、本発明のシステムは、内線電話機１１０５への着信があった場合に、その着信を第２の携帯電話機１１１３に転送することができる。この転送は、例えば内線電話機１１０５への着信が一定時間発生しているにもかかわらず、応答をしない場合に転送動作を行なう不応答転送や、内線電話機１１０５に対して不在であることを設定すると、その後着信があった場合には転送動作を行なう不在転送などのサービスで用いられるものである。これは、交換機１１０４の転送先記憶手段１２０７において第２の携帯電話機１１１３の電話番号を記憶することにより実現される。つまり、内線電話機１１０５に対して第２の携帯電話機１１１３への転送を行なう設定した後は、交換機１１０４において、内線電話機１１０５への着信があることを交換機全体制御手段１２０６が検出すると、交換機全体制御手段１２０６は転送先記憶手段から第２の携帯電話機１１１３の電話番号を取得し、回線交換網通信手段１２０１を介して第２の携帯電話機１１１３に対して発信を行なう動作をするのである。
【００８３】
以下、実施の形態３における本交換システムの動作について詳しく説明する。本実施の形態３では、内線電話機１１０５において、上記に示したような転送設定が行なわれている場合、本発明の実施の形態１において述べた、携帯電話機１１０７から内線電話機１１０５の内線番号を指定して発信動作を行なった場合、携帯電話機１１０７から無線網１１０６のみを介し第２の携帯電話機１１１３に対して発信動作を行なうことになる。以下、具体的な動作を図１３を用いて説明する。
【００８４】
図１３は実施の形態３における本発明の動作を表す信号図である。図１３における１３０１から１３０７は、実施の形態１における図５に示した５０１から５０７までの信号と同じ意味を持つものである。ただし、１３０４、１３０５、１３０６によって、交換機１１０４から携帯電話機１１０７に送信される内線発信プログラムの中に、第２の携帯電話機１１１３の電話番号が格納される。これは、１３０３に示した内線電話機１１０５への内線発信要求を交換機１１０４が受信した時に、プログラム生成手段１２０４が転送先記憶手段１２０７から第２の携帯電話機１１１３の電話番号を取得し、実施の形態１で示した内線発信プログラムの一例を示した図７のフィールド７０３に格納することにより実現される。
【００８５】
携帯電話機１１０７において、上記に示したような内線発信プログラムを受信すると、実施の形態１と同様に携帯電話機１１０７において、フィールド７０３に格納されている電話番号を用いて無線網１１０６へ発信動作を行なう。この時、指定されている電話番号が第２の携帯電話機１１１３の番号となるため、図１３の１３０８に示すように、交換機１１０４を介さず、直接無線網１１０６から第２の携帯電話機１１１３へ着信が発生することとなる。
【００８６】
以上、本実施の形態３に示したように、本交換システムは、第２の携帯電話機と、内線電話機の転送先を記憶する転送先記憶手段を備える交換機とを設けたものである。
【００８７】
これにより、本発明では、以下の２つの効果を得ることができる。
１つめは、内線電話機の転送先として第２の携帯電話機が指定されている場合に、携帯電話機と第２の携帯電話機は交換機を介さずに接続されることとなるため、交換機を介して接続する場合に比べて通話料を安くすることができることである。
【００８８】
２つめは、内線発信プログラムに第２の携帯電話機の電話番号が格納されているため、携帯電話機では、内線発信プログラムに格納されている電話番号に発信動作を行ないさえすれば、交換機を介さず第２の携帯電話機に発信することとなり、携帯電話機において実施の形態１で示した動作を同じ動作を行なうことで、交換機を介さずに第２の携帯電話機に接続することができることである。
【００８９】
（実施の形態４）
以下、図１４から図１７までを用いて実施の形態４について説明する。
【００９０】
実施の形態４と実施の形態１との構成上の相違点は、交換機を制御する交換機制御装置を備えることである。
【００９１】
以下、図１４を用いて実施の形態４の構成について説明する。図１４は、本実施の形態４における本発明の構成の一例を表したブロック図である。
【００９２】
図１４において、１４０１から１４１０、及び１４１２は、実施の形態１における図１の１０１から１１０、及び１１２と同じため、説明を省略する。
【００９３】
１４１３は、交換機１４０４を制御する交換機制御装置である。１４１４は、交換機１４０４と交換機制御装置１４１３との通信路である。通信路１４１４は、例えばイーサネット、ＲＳ２３２Ｃなどで構成される。また、実施の形態４では、１４１１は、ゲートウェイ１４０３と交換機制御装置１４１３との通信路となる。通信路１４１１は、例えばイーサネット、ＦＤＤＩなどで構成される。
【００９４】
次に、図１５を用いて実施の形態４における交換機１４０４の詳しい構成について説明する。図１５は、交換機１４０４の構成の一例を表したブロック図である。
【００９５】
図１５において、１５０１は回線交換網通信手段であり、実施の形態１における図４の４０１と同じものである。１５０２は、交換機制御装置１４１３と通信を行なう交換機制御装置通信手段である。１５０３は、内線電話機通信手段であり、実施の形態１における図４の４０３と同じものである。１５０４は、交換機１４０４に対して着信があった時に、交換機制御装置１４１３に対して発行する、着信に対する着信先を決定する要求である着信先要求を生成する着信先要求生成手段である。１５０５は、交換機１４０４全体を制御する交換機全体制御手段である。
【００９６】
また、図１６を用いて交換機制御装置１４１３の詳しい構成について説明する。図１６は、交換機制御装置１４１３の構成の一例を表したブロック図である。
【００９７】
図１６において、１６０１はゲートウェイと通信を行なうゲートウェイ通信手段である。１６０２は、交換機と通信を行なう交換機通信手段である。１６０３は、プログラム生成手段であり、実施の形態１における交換機１０４に備えられたプログラム生成手段４０４と同様の機能を持つものである。１６０４は、内線発信情報記憶手段であり、実施の形態１における交換機１０４に備えられた内線発信情報記憶手段４０５と同様の機能を持つものである。１６０５は、交換機１４０４から送られてくる着信先要求に対する応答を生成する着信先応答生成手段である。１６０６は、交換機制御装置１４１３全体を制御する制御装置全体制御手段である。
【００９８】
なお、ゲートウェイ１４０３の詳しい構成については、実施の形態１の図３において示した交換機通信手段３０２が、交換機制御装置１４１３と通信するための手段に変更されればよいことは簡単に類推できるため、説明を省略する。
【００９９】
以下、実施の形態４における本交換システムの動作について、図１７を用いて説明する。図１７は実施の形態４における本発明の動作を表す信号図である。
【０１００】
はじめに動作の概要を説明する。本実施の形態４では、内線発信要求を受信して内線発信プログラムを生成するのは、交換機制御装置１４１３となる。また、内線発信プログラムに基づいて携帯電話機１４０１から交換機１４０４に対して着信があった場合、交換機１４０４から交換機制御装置１４１３に対して着信先要求を出力し、交換機制御装置１４１３から着信先応答として内線電話機１４０５の内線番号を通知してもらい、その内線番号に基づいて携帯電話機１４０１からの着信先が内線電話機１４０５となるのである。
【０１０１】
以下、詳しく説明する。
図１７の１７０１から１７０８までの信号の内容は、実施の形態１における図５の５０１から５０８までと同じである。ただし、内線発信要求は、１７０３に示すようにゲートウェイ１４０３から交換機制御装置１４１３に出力される。これは、実施の形態１の図６におけるフィールド６０１が、交換機１４０４のアドレスではなく、交換機制御装置１４１３のアドレスが格納されることにより実現される。交換機制御装置１４１３では、内線発信要求を入力すると、プログラム生成手段１６０３において内線発信プログラムを生成するととともに、必要な情報を内線発信情報記憶手段１６０４において記憶する。これらの動作は、実施の形態１における交換機１０４のプログラム生成手段４０４、及び内線発信情報記憶手段４０５の動作から容易に類推できるため、説明を省略する。
【０１０２】
内線発信プログラムに従い携帯電話機１４０１から無線網１４０６を介して、交換機１４０４に着信があると、交換機１４０４は、１７０９に示すようにその着信先を問い合わせる要求である着信先要求を、交換機制御装置１４１３に出力する。これは、回線交換網通信手段１５０１において着信があったことを交換機全体制御手段１５０５が判断し、着信先要求生成手段１５０４に対して着信先要求を生成して、交換機制御装置通信手段１５０２を介して出力することにより実現される。この着信先要求には、無線網１４０６から交換機１４０４に対して発信者番号として通知される携帯電話機１４０１の電話番号が格納される。
【０１０３】
交換機制御装置１４１３では、１７０９に示した着信先要求を受信すると、内線電話機１４０５の電話番号が格納された着信先応答を、１７１０に示すように、交換機１４０４に出力する。これは、着信先応答生成手段１６０５が、交換機通信手段１６０２、制御装置全体制御手段１６０６を介して着信先要求を入力し、内線発信情報記憶手段１６０４において記憶している内線電話機１０５の内線番号を、着信先要求に含まれている携帯電話機の電話番号から検索して取得したのち、着信先応答を生成して、ゲートウェイ通信手段１６０１を介して出力することにより実現される。内線発信情報記憶手段１６０４においては、実施の形態１で示した図８のような情報を記憶しているため、携帯電話機１４０１の電話番号から、内線電話機１４０５の内線番号を取得できるのである。
【０１０４】
交換機１４０４では、１７１０に示した着信先応答に基づき、１７０８に示した携帯電話機１４０１からの着信先を、１７１１に示すように内線電話機１４０５への着信とすることにより、携帯電話機１４０１から内線番号をしていることにより内線電話機１４０５への着信、接続を実現することができるのである。
【０１０５】
上記において説明を行なわなかったが、無線網１４０６から交換機１４０４に対して着信が発生した時に、交換機１４０４から交換機制御装置１４１３に対して着信先要求の発行するかどうかは、あらかじめ交換機１４０４で設定を行なうことにより実現することができる。また、１７０３に示した内線発信要求を入力した後に、内線発信プログラムに格納する外線受付番号、つまり図７に示したフィールド７０３に格納する値の電話番号に対して着信があった場合には、着信先要求を発行してもらう要求を交換機制御装置１４１３から交換機１７０３に対して出力することによっても実現できることは容易に類推ができる。
【０１０６】
以上、本実施の形態４に示したように、本交換システムは、着信先要求生成手段を備える交換機と、プログラム生成手段、内線発信情報記憶手段、着信先応答手段を備える交換機制御装置とを設けたものである。
【０１０７】
これにより、本発明では、以下の２つの効果を得ることができる。
１つめは、内線発信プログラムを生成するのが、交換機制御装置となるため、内線発信プログラムの変更、例えば画面表示などのサービスの追加を行なう場合に、交換機の変更を行なわなくてよいことである。
【０１０８】
２つめは、交換機と交換機制御装置との間の通信は、例えば  ＥＣＭＡ（Ｅｕｒｏｐｅａｎ  Ｃｏｍｐｕｔｅｒ  ＭａｎｕｆａｃｔｕｒｅｒｓＡｓｓｏｃｉａｔｉｏｎ）のＣＳＴＡ（Ｃｏｍｐｕｔｅｒ  Ｓｕｐｐｏｒｔｅｄ  Ｔｅｌｅｃｏｍｍｕｎｉｃａｔｉｏｎ  Ａｐｐｌｉｃａｔｉｏｎｓ）に規定されているようなＣＴＩ技術によって容易に実現することができるため、ＣＴＩ機能を有する交換機の場合には、本発明を実現する時に交換機の改造を必要としないということである。
【０１０９】
（実施の形態５）
以下、図１８から図２２までを用いて実施の形態５について説明する。
【０１１０】
図１８を用いて本実施の形態５の構成について説明する。図１８は、本実施の形態５における本発明の構成の一例を表したブロック図である。
【０１１１】
図１８において、１８０１から１８０４、及び１８０６から１８１１までは、実施の形態１における１０１から１０４、及び１０６から１１１までと同じであるため、説明を省略する。１８０５は、音声メッセージを蓄積する音声蓄積装置である。この音声メッセージとしては、留守番電話に吹き込まれた音声や、電話による会話を録音したものなどが例としてあげられる。１８１２は、交換機１８０４と音声蓄積装置１８０５との音声の通信路である。１８１３は、ゲートウェイ１８０３と音声蓄積装置１８０５との通信路である。
【０１１２】
次に、図１９を用いて、音声蓄積装置１８０５の詳しい構成について説明する。図１９は、音声蓄積装置１８０５の構成の一例を表したブロック図である。
【０１１３】
図１９において、１９０１は、交換機１８０４と通信を行なう音声蓄積交換機通信手段である。１９０２は、ゲートウェイ１８０３と通信を行なう音声蓄積ゲートウェイ通信手段である。１９０３は、携帯電話機１８０１の使用者が、聞き取りを行なうために選択したメッセージがどれかを記憶するメッセージ選択情報記憶手段である。１９０４は、聞き取りを行なうために携帯電話機１８０１に出力するプログラムを生成する聞き取りプログラム生成手段である。１９０５は、メッセージを格納している音声メッセージ記憶手段である。１９０６は、音声蓄積装置１８０５全体を制御する音声蓄積全体制御手段である。
【０１１４】
さらに、図２０を用いて、携帯電話機１８０１の詳しい構成について説明する。図２０は、携帯電話機１８０１の構成の一例を表したブロック図である。
【０１１５】
図２０において、  ２００１は、基地局１８０２と無線通信を行なう無線通信手段である。２００２は、無線通信においてパケット通信を行なうための制御を行なうパケット通信制御手段である。２００３は、無線通信において回線交換通信を行なうための制御を行なう回線交換通信制御手段である。２００４は、携帯電話機１８０１から音声蓄積装置１８０５が提供するサービスを受けるための制御を行なうサービス実行制御手段である。２００５は、音声蓄積装置１８０５のサービスを受けるために、パケット通信によって、携帯電話機１８０１が受信するプログラムを記憶するプログラム記憶手段である。２００６は、携帯電話機１８０１のユーザインタフェース手段である。ユーザインタフェース手段２００６は、例えば画面、キー、マイク、スピーカ、ボタンなどから構成される。２００７は、携帯電話機１８０１全体を制御する携帯電話機全体制御手段である。２００８は、音声蓄積装置１８０５に対してサービスの提供を要求する種々のサービス要求を生成するサービス要求生成手段である。２００９は、携帯電話機１８０１からＰＢ信号（制御指示信号）を送信する制御を行なうＰＢ信号送信制御手段（制御指示信号送信手段）である。
【０１１６】
以下、図２１及び図２２を用いて本交換システムの、実施の形態５における動作について説明する。図２１は、実施の形態５における信号図である。
【０１１７】
実施の形態５では、携帯電話機１８０１の画面に、図２２に示すような音声メッセージの一覧を表示する要求である一覧表示要求を、図２１の２１０１に示すように携帯電話機１８０１からパケット網に送信する。この一覧表示要求は、サービス要求生成手段２００８で生成され、実施の形態１で示した内線発信要求と同様にパケット網に出力される。この一覧表示要求の一例としては、実施の形態１の図６におけるフィールド６０１に音声蓄積装置１８０５のアドレスが格納され、フィールド６０３にメッセージ一覧要求識別子が格納され、フィールド６０４には何も格納されず、フィールド６０２、６０５については、実施の形態１と同様という例が挙げられる。
【０１１８】
この一覧表示要求は、２１０２、２１０３に示すように、ゲートウェイ１８０３、通信路１８１４を介して音声蓄積装置１８０５に入力される。音声蓄積装置１８０５では、音声蓄積ゲートウェイ通信手段１９０１において入力された一覧表示要求に基づき、音声蓄積全体制御手段１９０６がメッセージの一覧情報を生成して、音声蓄積ゲートウェイ通信手段１９０１を介してゲートウェイ１８０３に出力する。
【０１１９】
その後、２１０４、２１０５、２１０６に示すように、ゲートウェイ１８０３、パケット網を介して、携帯電話機１８０１に入力されることにより、図２２に示すような画面が、携帯電話機１８０１のユーザインタフェース手段２００６の一つである画面に表示されることとなる。この時の携帯電話機１８０１の動作について、以下説明する。音声蓄積装置１８０５が出力するメッセージの一覧情報は、図２２に示す画面を表示するためのプログラムとなっているため、受信したメッセージ一覧情報は、プログラム記憶手段２００５に格納される。サービス実行制御手段２００４では、プログラム記憶手段２００５に格納されたメッセージに基づいて携帯電話機全体制御手段２００７に対して、図２２に示すような画面をユーザインタフェース手段２００６において表示する要求を発行することにより、画面表示が実現されることとなる。
【０１２０】
次に、携帯電話機の使用者は、図２２に示すような携帯電話機１８０１の画面を見て聞き取りを行なうメッセージを、携帯電話機１８０１のユーザインタフェースを用いて選択する。本実施の形態ではこの時選択できるメッセージの数には制限はないため、複数のメッセージを選択して、そのメッセージの聞き取りを要求する聞き取り要求が、図２１の２１０７に示すように、携帯電話機１８０１から出力される。この聞き取り要求も、一覧表示要求と同様に、サービス要求生成手段２００８で生成されたのち、２１０８、２１０９に示すようにゲートウェイ１８０３を介して音声蓄積装置１８０５に入力されることとなる。
【０１２１】
音声蓄積装置１８０５では、使用者が選択した１個ないし複数のメッセージを識別するためのメッセージ識別子を生成して、携帯電話機１８０１の使用者が選択したメッセージとともに、メッセージ選択情報記憶手段１６０３において記憶する。このメッセージ識別子の使用方法については、後に記載する。この後、聞き取りプログラム生成手段１９０４において聞き取りを行なうためのプログラムである聞き取りプログラムを生成する。この聞き取りプログラムの一例としては、実施の形態１の図７に示すフィールド７０２にメッセージ聞き取りプログラム識別子が格納され、フィールド７０３に音声蓄積装置１８０５から聞き取りを行なうための交換機１８０４の電話番号が格納され、フィールド７０４にはメッセージ識別子が格納され、フィールド７０１については、実施の形態１と同様という例が挙げられる。また、メッセージ選択情報記憶手段１６０３において記憶する情報の一例は、実施の形態１の図８に示すフィールド８０３にメッセージ識別子が格納され、フィールド８０１、８０２、８０４については、実施の形態１と同様という例が挙げられる。  この聞き取りプログラムは、２１１０、２１１１、２１１２に示すような経路で携帯電話機１８０１に入力されることとなる。携帯電話機１８０１では、入力された聞き取りプログラムを、プログラム記憶手段２００５に格納する。このプログラム記憶手段２００５において記憶されている聞き取りプログラムに基づき、２１１３に示すように、回線交換網を経由して交換機１８０４に対して回線交換発信動作を行なう。これは、実際には、入力された聞き取りプログラムに格納されていた音声蓄積装置１８０５から聞き取りを行なうための交換機１８０４の電話番号への発信動作となる。
【０１２２】
交換機１８０４では、２１１４に示す無線網からの着信に基づき、着信先を音声蓄積装置１８０５として、２１１５に示すように、音声蓄積装置１８０５に着信を通知し、音声蓄積装置１８０５が応答することにより、音声蓄積装置１８０５と携帯電話機１８０１との回線接続が行なわれる。
【０１２３】
この回線接続が確立した後、携帯電話機１８０１から音声蓄積装置１８０５に対して、ＰＢ信号を用いてメッセージ識別子が音声蓄積装置１８０５に出力される。これは、実際には、携帯電話機１８０１のサービス実行制御手段２００４がプログラム記憶手段２００５に記憶されているメッセージ識別子に基づき、ＰＢ信号の送出を携帯電話機全体制御手段２００７に要求し、携帯電話機全体制御手段２００７が、ＰＢ信号送信制御手段２００９から回線交換通信制御手段２００３、無線通信手段２００１を介してＰＢ信号を送出する制御を行なうことにより実現される。これは、実際には、２１１６に示すように、携帯電話機１８０１からはＰＢ信号送信メッセージが無線網１８０６に対して送信され、実際のＰＢ信号の発生は無線網１８０６で行なわれ、その結果２１１７、２１１８に示すように、交換機１８０４を介して音声蓄積装置１８０５に入力されることとなる。
【０１２４】
このＰＢ信号によるメッセージ識別子を入力すると、音声蓄積装置１８０５において、メッセージ識別子に基づき、メッセージ選択情報記憶手段１９０３において記憶している、使用者がどのメッセージを選択したかという情報から、該当するメッセージを音声メッセージ記憶手段１６０４から取り出し、音声蓄積交換機通信手段１９０１を介して交換機１８０４に出力することにより、携帯電話機１８０１で音声メッセージを聞き取ることが出来るようになるのである。
【０１２５】
以上、本実施の形態５に示したように、本交換システムは、交換機及びゲートウェイに接続され、携帯電話機から入力されるメッセージ聞き取り要求に基づき、メッセージ聞き取りプログラムを生成して、携帯電話機に出力する音声蓄積装置を設けたものである。
【０１２６】
これにより、本発明では、以下の５つの効果を得ることができる。
１つめは、携帯電話機においてメッセージの一覧を表示することができることである。一般にメッセージの聞き取り動作は、回線交換による音声通信で実現されるため、メッセージの一覧表示を行なうことは困難であった。しかし、本発明では、メッセージの一覧取得は、パケット通信によって実現されているため、容易に一覧表示を実現することができる。
【０１２７】
２つめは、聞き取り動作を行なうための回線交換通信の電話番号は、音声蓄積装置から携帯電話機に通知されるため、携帯電話機の使用者が、その電話番号を知らなくても、聞き取り動作を行なうことができることである。
【０１２８】
３つめは、聞き取り動作を行なうための回線交換通信の電話番号を含んだ聞き取りプログラムを音声蓄積装置から携帯電話機に出力し、携帯電話機がその聞き取りプログラムに従って、音声蓄積装置の電話番号への発信動作を行なうため、携帯電話機の使用者が音声蓄積装置に割り当てられた電話番号を入力する必要がなく、ユーザインタフェースが向上されることである。
【０１２９】
４つめは、メッセージ識別子を含んだ聞き取りプログラムを音声蓄積装置から携帯電話機に出力し、携帯電話機がその聞き取りプログラムに従って、音声蓄積装置と接続された後に、ＰＢ信号によってメッセージ識別子を音声蓄積装置に出力するため、回線接続後に、再生するメッセージを選択する必要がないことである。また、メッセージ聞き取り要求を音声蓄積装置で受信したときに、選択されたメッセージを再生するための準備をあらかじめ行なうことにより、携帯電話機から回線交換接続されたときに、すぐにメッセージの再生動作を行なうことができ、応答性を高めることもできる。
【０１３０】
５つめは、携帯電話機から音声蓄積装置に対して出力されるメッセージ識別子が、携帯電話機からの聞き取り動作の認証を兼ねることになるため、安全性を高めることができることである。
【０１３１】
なお、本実施の形態５では、音声蓄積装置１８０５とゲートウェイ１８０３が通信路１８１３を介して直接通信を行なったが、これは、通信路１８１２、交換機１８０４、通信路１８１１を介して通信を行なうようにすることができることは、容易に類推できる。また、交換機１８０４に音声蓄積装置１８０５が内蔵される構成にした場合でも、本発明の効果を得ることができることは容易に類推できる。
【０１３２】
また、本実施の形態５では、メッセージ識別子をＰＢ信号を用いて送信したが、これは、ユーザユーザ情報を用いて実現することは、容易に類推できる。
【０１３３】
また、サブアドレス番号としてメッセージ識別子を指定することにより、本発明の効果を得ることができるシステムを構築できることは容易に類推できる。
【０１３４】
また、本実施の形態５では、携帯電話機１８０１に送信するメッセージをメッセージ識別子によって判断したが、メッセージ識別子の代わりに携帯電話機１８０１の電話番号を記憶し、携帯電話機１８０１から着信があった時に、交換機１８０４から音声蓄積装置１８０５に対して、携帯電話機１８０１の発信者番号を通知してもらうことにより、再生するメッセージを決定することは容易に実現することができる。
【０１３５】
また、本実施の形態では、音声蓄積装置からのメッセージ聞き取りについて説明を行なったが、例えば電子メールを蓄積する装置の場合でも同様に、メッセージの一覧はパケット通信によって携帯電話機に出力し、携帯電話機の使用者が選択したメッセージの本体については、回線交換で携帯電話機に出力することにより、通信時間あるいは通信コストを改善することができることは容易に類推できる。さらに、電子メールのみならず、無線網を介して携帯電話機が情報を取得する場合に、通信時間あるいは通信コストを改善するために、始めに情報の取得要求をパケット通信を用いて出力し、取得要求に対する応答に従って回線交換通信を行ない、実際の情報取得を行なうができることは容易に類推できる。
【０１３６】
また、本実施の形態５では、交換機及び音声蓄積装置と、ゲートウェイが直接通信を行なったが、これは実施の形態４で示した交換機制御装置のような装置を介して行なうシステムにすることができることは容易に類推できる。
【０１３７】
（実施の形態６）
以下、図２３から図２５までを用いて実施の形態６について説明する。
【０１３８】
実施の形態６の構成については、実施の形態１においてしめした図１と同じため、図１を用いて説明を行なう。
【０１３９】
次に、図２３を用いて実施の形態６における携帯電話機１０１の詳しい構成について説明する。図２３は、実施の形態６における携帯電話機１０１の構成の一例を表したブロック図である。
【０１４０】
図２３において、２３０１から２３０４までは、実施の形態１の図２に示した２０１から２０４までと同じため、説明を省略する。２３０５は、図２におけるユーザインタフェース手段２０６と同様のものである。２３０６は、図２における携帯電話機全体制御手段２０７と同様のものである。２３０７は、図２における内線発信要求生成手段２０８と同様のものである。
【０１４１】
また、図２４を用いて実施の形態６における交換機１０４の詳しい構成について説明する。図２４は、交換機１０４の構成の一例を表したブロック図である。
【０１４２】
図２４において、２４０１から２４０３及び、２４０５は、実施の形態１の図４に示した４０１から４０３、及び４０５までと同じため、説明を省略する。
２４０４は、内線発信要求を入力すると、コールバック処理を行なうコールバック制御手段である。
【０１４３】
以下、図２５を用いて、実施の形態６における本交換システムの動作について説明する。図２５は、本実施の形態６における本交換システムの信号図である。
【０１４４】
図２５の２５０１、２５０２、２５０３に示すように、実施の形態６においては、実施の形態１と同様に携帯電話機１０１から交換機１０４に対して内線発信要求が出力される。
【０１４５】
交換機１０４では内線発信要求を入力すると、２５０４に示すように、回線交換通信を用いて、携帯電話機１０１に対する発信動作を行なう。これは、実際には、ゲートウェイ通信手段２４０２を介して交換機全体制御手段２４０５が入力した内線発信要求を、コールバック制御手段２４０４に出力し、コールバック制御手段２４０４が、図６のフィールド６０５に示すような、内線発信要求に格納されている携帯電話機１０１の電話番号を取得して、携帯電話機１０１に対する発信動作を行なうことを交換機全体制御手段２４０５に対して要求することにより実現される。
【０１４６】
無線網１０６では、２５０５に示すように携帯電話機１０１への呼び出しを行ない、携帯電話機１０１側で着信に応答すると、２５０６、２５０７に示すように、交換機１０４に対して携帯電話機１０１が着信に応答したことが通知される。
【０１４７】
交換機１０４では、携帯電話機１０１が着信に応答したことを入力すると、２５０８に示すように内線電話機１０５に対して発信動作を行なう。これは、実際には、回線交換網通信手段２４０１を介して交換機全体制御手段２４０５が携帯電話機１０１が応答したことを、コールバック制御手段２４０４に出力し、コールバック制御手段２４０４が、図６のフィールド６０４に示すような、内線発信要求に格納されていた内線電話機１０５の電話番号を用いて、内線電話機１０５に対する発信動作を行なうことを交換機全体制御手段２４０５に対して要求することにより実現される。
【０１４８】
この結果、携帯電話機１０１と内線電話機１０５との回線接続処理が行なわれることとなる。
【０１４９】
以上、本実施の形態６に示したように、本交換システムは、内線発信要求に基づきコールバック制御を行なうコールバック制御手段を備える交換機を設けたものである。
【０１５０】
これにより、本発明では、携帯電話機から内線電話機に対して回線接続を行なう際、交換機から携帯電話機に対して発信するため、課金対象が交換機となり、携帯電話機側の回線交換通信による通信費が発生しないという効果を得ることができる。例えば、携帯電話機は個人が所有しているが、その携帯電話機を用いて業務で会社と連絡をとる場合には、通信費が会社側が負担するようなシステムを構築することができる。
【０１５１】
なお、本実施の形態６では、交換機１０４と接続される網を無線網１０６とし、内線電話機と回線接続する端末を携帯電話機として説明を行なった。しかしながら、交換機１０４と接続される網を有線網とし、端末を電子計算機と有線網に接続される有線電話機とする構成にして、本発明の効果を得ることができることは容易に類推できる。つまり、有線網を介して電子計算機がデータ通信によって、交換機１０４に内線発信要求を出力し、交換機１０４から有線網に接続される有線電話機に対して発信を行なうことにより、有線電話機と内線電話機との間で回線接続を行なうことができる。また、この際に、ＩＳＤＮルータ、もしくはターミナルアダプタに、電子計算機と有線電話機が接続されているような構成として、電子計算機からＢｃｈを２つ用いてデータ通信を行なっている時に、内線発信要求を交換機１０４に対して出力した時に、有線電話機に対して着信が発生すると、電子計算機によるデータ通信に使用するＢｃｈを２つから１つに減らすことにより、電子計算機のデータ通信を切断することなく、空いたＢｃｈを用いてＩＳＤＮルータ、もしくはターミナルアダプタに、接続された有線電話機と内線電話機との間で音声通信を行なうことができることができることも、容易に類推ができる。
【０１５２】
また、本実施の形態６では、交換機１０４から携帯電話機１０１に対して先に発信動作を行なったが、これは内線電話機１０５への発信動作を先にすることができることも容易に類推できる。
【０１５３】
また、本実施の形態６を、実施の形態４で示した交換機制御装置のような装置を介して行なうシステムにすることができることは容易に類推できる。
【０１５４】
【発明の効果】
以上のように、本発明によれば、第１に、パケット交換による通信をパケット通信および、回線交換による通信を回線交換通信の２種類の通信を少なくとも行なえる無線網と、内線電話機に発信を行なう要求である内線発信要求の出力、及び内線発信要求の応答である内線発信プログラムの入力をパケット通信で行ない、入力された前記内線発信プログラムに基づいて前記回線交換通信を行なう携帯電話機と、携帯電話機とパケット通信を行うゲートウェイと、携帯電話機からゲートウェイを介して入力される内線発信要求から、内線発信プログラムを生成して前記ゲートウェイを介して携帯電話機に出力し、携帯電話機からの回線交換通信による着信によって、内線発信要求に格納されていた情報に基づき内線電話機と携帯電話機の回線接続処理を行なう交換機とを交換システムに備えることにより、無線網を改造することなく、かつ交換機の電話番号も入力せずに、携帯電話機において内線番号のみを入力すれば、携帯電話機から指定された内線電話機に対して着信を発生させることができるという有利な効果が得られる。
【０１５５】
第２に、交換機と接続される第２の交換機と、第２の交換機に接続される第２の内線電話機と、内線電話機から第２の内線電話機へ発信を行なう際に使用する電話番号と同じ電話番号が内線発信要求で指定されたときに、携帯電話機からの着信先を第２の交換機とする処理を行なう交換機とを備えることにより、携帯電話機から、第２の交換機に接続された第２の内線電話機に対して着信を行なうことができるという有利な効果が得られる。
【０１５６】
第３に、携帯電話機とは異なる携帯電話機を第２の携帯電話機とし、内線電話機の転送先として第２の携帯電話機の電話番号を記憶する転送先記憶手段と、転送先記憶手段から第２の携帯電話機の電話番号を取得して内線発信プログラムに格納するプログラム生成手段とを備える交換機と、内線発信プログラムに格納された第２の携帯電話機の電話番号を用いて発信処理を行なう携帯電話機と、携帯電話機と第２の携帯電話機との回線接続処理を行なう無線網とを備えることにより、内線電話機の転送先として第２の携帯電話機が指定されている場合、携帯電話機において内線電話機に対して内線番号による発信処理を行なった場合、内線発信プログラムに第２の携帯電話機の電話番号が格納されているため、交換機を介さずに、携帯電話機から無線網のみを介して第２の携帯電話機と回線接続処理が行なわれるという有利な効果が得られる。
【０１５７】
第４に、携帯電話機から着信があった時に着信先を問い合わせる要求である着信先要求を出力し、着信先要求の応答である着信先応答に格納されている内線電話機の電話番号に基づき、携帯電話機と内線電話機との回線接続処理を行なう交換機と、ゲートウェイに接続され、携帯電話機からの内線発信要求を受信して内線発信プログラムを生成して出力し、交換機から着信先要求を受信した時には、内線発信要求に格納されている内線電話機の電話番号が格納された着信先応答を生成して交換機に出力する交換機制御装置とを備えることにより、着信先要求を出力することができる交換機であれば、改造を行なわなくても、携帯電話機において内線番号を指定すれば内線電話機に接続することができるサービスを提供することができるとともに、サービスの内容を変更する場合に交換機の改造を必要としないという有利な効果が得られる。
【０１５８】
第５に、交換機と接続され、携帯電話機に対して、パケット通信を用いてメッセージの一覧情報を送信し、回線交換通信を用いてメッセージの内容を送信する音声蓄積装置が、メッセージを記憶する音声メッセージ記憶手段と、携帯電話機において選択された１個もしくは複数のメッセージを識別するためのメッセージ識別子を含んだ聞き取りプログラムを生成する聞き取りプログラム生成手段と、メッセージ識別子及び携帯電話機においてどのメッセージが聞き取り対象として選択されたという情報とを記憶するメッセージ選択情報記憶手段と、携帯電話機が、聞き取りプログラムに格納されたメッセージ識別子を制御指示信号を用いて送信する制御指示信号送信手段と、制御指示信号送信手段によって入力されたメッセージ識別子に基づき、携帯電話機においてどのメッセージが聞き取り対象として選択されたかを判断して音声メッセージ記憶手段に記憶されているメッセージの再生動作を行なう音声蓄積全体制御手段とを備えることにより、携帯電話機の画面に表示されたメッセージを選択すれば、メッセージの聞き取りを行なうための電話番号の入力、音声蓄積装置に回線接続した後のメッセージ選択のためのキー操作などを必要とせずに、メッセージの聞き取りを行なうことができるという有利な効果が得られる。
【０１５９】
第６に、交換機に、内線発信要求に格納されている携帯電話機の電話番号を用いて携帯電話機に発信動作を行ない、携帯電話機が応答すると、内線発信要求に格納されている内線電話機の電話番号を用いて内線電話機に発信動作を行なうことにより、携帯電話機と内線電話機との回線接続処理を行なうコールバック制御手段を備えることにより、携帯電話機から内線電話機に対して回線接続を行なう際、交換機から携帯電話機に対して発信するため、通信費の課金対象を交換機とすることができ、携帯電話機側の回線交換通信による通信費が発生しないという有利な効果が得られる。
【図面の簡単な説明】
【図１】本発明の実施の形態１における構成を表すブロック図
【図２】本発明の実施の形態１における携帯電話機の構成を表すブロック図
【図３】本発明の実施の形態１におけるゲートウェイの構成を表すブロック図
【図４】本発明の実施の形態１における交換機の構成を表すブロック図
【図５】本発明の実施の形態１における本発明の動作を表す信号図
【図６】本発明の実施の形態１における内線発信要求のフォーマット図
【図７】本発明の実施の形態１における内線発信プログラムのフォーマット図
【図８】本発明の実施の形態１における内線発信情報記憶手段の格納フォーマット図
【図９】本発明の実施の形態２における構成を表すブロック図
【図１０】本発明の実施の形態２における交換機の構成を表すブロック図
【図１１】本発明の実施の形態３における構成を表すブロック図
【図１２】本発明の実施の形態３における交換機の構成を表すブロック図
【図１３】本発明の実施の形態３における本発明の動作を表す信号図
【図１４】本発明の実施の形態４における構成を表すブロック図
【図１５】本発明の実施の形態４における交換機の構成を表すブロック図
【図１６】本発明の実施の形態４における交換機制御装置の構成を表すブロック図
【図１７】本発明の実施の形態４における本発明の動作を表す信号図
【図１８】本発明の実施の形態５における構成を表すブロック図
【図１９】本発明の実施の形態５における音声蓄積装置の構成を表すブロック図
【図２０】本発明の実施の形態５における携帯電話機の構成を表すブロック図
【図２１】本発明の実施の形態５における本発明の動作を表す信号図
【図２２】本発明の実施の形態５における携帯電話機の画面の概念図
【図２３】本発明の実施の形態６における携帯電話機の構成を表すブロック図
【図２４】本発明の実施の形態６における交換機の構成を表すブロック図
【図２５】本発明の実施の形態６における本発明の動作を表す信号図
【符号の説明】
１０１  携帯電話機
１０２  基地局
１０３  ゲートウェイ
１０４  交換機
１０５  内線電話機
１０６  無線網
２０１  無線通信手段
２０２  パケット通信手段
２０３  回線交換通信制御手段
２０４  内線発信制御手段
２０５  プログラム記憶手段
２０６  ユーザインタフェース手段
２０７  携帯電話機全体制御手段
２０８  内線発信要求生成手段
３０１  パケット網通信手段
３０２  交換機通信手段
３０３  ゲートウェイ全体制御手段
４０１  回線交換網通信手段
４０２  ゲートウェイ通信手段
４０３  内線電話機通信手段
４０４  プログラム生成手段
４０５  内線発信情報記憶手段
４０６  交換機全体制御手段
９０１  携帯電話機
９０２  基地局
９０３  ゲートウェイ
９０４  交換機
９０５  内線電話機
９０６  無線網
９１３  第２の交換機
９１４  第２の内線電話機
１００１  回線交換網通信手段
１００２  ゲートウェイ通信手段
１００３  内線電話機通信手段
１００４  プログラム生成手段
１００５  内線発信情報記憶手段
１００６  交換機全体制御手段
１００７  専用線通信手段
１１０１  携帯電話機
１１０２  基地局
１１０３  ゲートウェイ
１１０４  交換機
１１０５  音声蓄積装置
１１０６  無線網
１１１３  第２の携帯電話機
１２０１  回線交換網通信手段
１２０２  ゲートウェイ通信手段
１２０３  内線電話機通信手段
１２０４プログラム生成手段
１２０５  内線発信情報記憶手段
１２０６  交換機全体制御手段
１２０７  転送先記憶手段
１４０１  携帯電話機
１４０２  基地局
１４０３  ゲートウェイ
１４０４  交換機
１４０５  音声蓄積装置
１４０６  無線網
１４１３  交換機制御装置
１５０１  回線交換網通信手段
１５０２  交換機制御装置通信手段
１５０３  内線電話機通信手段
１５０４  着信先要求生成手段
１５０５  交換機全体制御手段
１６０１  ゲートウェイ通信手段
１６０２  交換機通信手段
１６０３  プログラム生成手段
１６０４  内線発信情報記憶手段
１６０５  着信先応答手段
１６０６  制御装置全体制御手段
１８０１  携帯電話機
１８０２  基地局
１８０３  ゲートウェイ
１８０４  交換機
１８０５  音声蓄積装置
１８０６  無線網
１９０１  音声蓄積交換機通信手段
１９０２  音声蓄積ゲートウェイ通信手段
１９０３  メッセージ選択情報記憶手段
１９０４  音声メッセージ記憶手段
１９０５  音声蓄積全体制御手段
２００１  無線通信手段
２００２  パケット通信手段
２００３  回線交換通信制御手段
２００４  サービス実行制御手段
２００５  プログラム記憶手段
２００６  ユーザインタフェース手段
２００７  携帯電話機全体制御手段
２００８  サービス要求生成手段
２００９  ＰＢ信号送信制御手段
２３０１  無線通信手段
２３０２  パケット通信手段
２３０３  回線交換通信制御手段
２３０４  内線発信制御手段
２３０５  ユーザインタフェース手段
２３０６  携帯電話機全体制御手段
２３０７  内線発信要求生成手段
２４０１  回線交換網通信手段
２４０２  ゲートウェイ通信手段
２４０３  内線電話機通信手段
２４０４  コールバック制御手段
２４０５  交換機全体制御手段
【図１】
0003627534.tif 000002
【図２】
0003627534.tif 000003
【図３】
0003627534.tif 000004
【図４】
0003627534.tif 000005
【図５】
0003627534.tif 000006
【図６】
0003627534.tif 000007
【図７】
0003627534.tif 000008
【図８】
0003627534.tif 000009
【図９】
0003627534.tif 000010
【図１０】
0003627534.tif 000011
【図１１】
0003627534.tif 000012
【図１２】
0003627534.tif 000013
【図１３】
0003627534.tif 000014
【図１４】
0003627534.tif 000015
【図１５】
0003627534.tif 000016
【図１６】
0003627534.tif 000017
【図１７】
0003627534.tif 000018
【図１８】
0003627534.tif 000019
【図１９】
0003627534.tif 000020
【図２０】
0003627534.tif 000021
【図２１】
0003627534.tif 000022
【図２２】
0003627534.tif 000023
【図２３】
0003627534.tif 000024
【図２４】
0003627534.tif 000025
【図２５】
0003627534.tif 000026